(57)【要約】      （修正有）【課題】複数枚のカレンダー用紙を綴じることなく、簡単にカレンダー用紙を束ねることができ、また、安価なカレンダーで、しかも、壁面にかけたり、机上に簡単に立設して置くことができるカレンダーを提供する。【解決手段】カレンダー本体１０は、各月の日にちを印刷したカレンダー用紙１１が１２枚で構成されている。１２枚のバラバラのカレンダー用紙１１を揃え、カレンダー用紙１１の上端の中央部分をクリップ１にて挟持することで、１２枚のカレンダー用紙１１がクリップ１により束ねることで一体化される。クリップ１を単にカレンダー用紙１１を挟持して束ねるための機能だけではなく、同時にこのクリップ１により壁面に掛けるのに利用している。クリップ１の穴状の把持部３を壁面に差したピン、釘、ネジ等の留め具に掛けることで、カレンダー本体１０を壁面に簡単に掛けることができる。【選択図】図２
0003149830.tif 000002
【実用新案登録請求の範囲】
【請求項１】
断面を略三角形状とした弾性を有するベース（２）と、このベース（２）に先端が回動自在に軸支され、略Ω状の把持部（３）とからなる市販のクリップ（１）と、
複数枚のカレンダー用紙（１１）からなるカレンダー本体（１０）とを備え、
前記複数枚のバラバラのカレンダー用紙（１１）を前記クリップ（１）のベース（２）にて挟持すると共に、該クリップ（１）の把持部（３）にて壁面に掛けたり、机上に立設可能としていることを特徴とするカレンダー。
【請求項２】
断面を略三角形状とした弾性を有するベース（２）と、このベース（２）に先端が回動自在に軸支され、略Ω状の把持部（３）とからなる市販のクリップ（１）と、
複数枚のカレンダー用紙（１１）からなるカレンダー本体（１０）とを備え、
前記複数枚のバラバラのカレンダー用紙（１１）の上端の略中央部分を前記クリップ（１）のベース（２）にて挟持すると共に、該クリップ（１）の把持部（３）の穴部分にて、壁面に設けた留め具に掛けてカレンダー本体（１０）を壁面に吊設していることを特徴とするカレンダー。
【請求項３】
断面を略三角形状とした弾性を有するベース（２）と、このベース（２）に先端が回動自在に軸支され、略Ω状の把持部（３）とからなる市販のクリップ（１）と、
複数枚のカレンダー用紙（１１）からなるカレンダー本体（１０）とを備え、
前記複数枚のバラバラのカレンダー用紙（１１）の下端の両側を前記クリップ（１）のベース（２）にてそれぞれ挟持し、
前記クリップ（１）の両側に開く把持部（３）を机上に載置して前記カレンダー本体（１０）を卓上タイプのカレンダーとして机上に立設させていることを特徴とするカレンダー。
【請求項４】
前記複数枚のカレンダー用紙（１１）の下端の両側に切欠部（１３）をそれぞれ切り欠き形成し、前記切欠部（１３）を介して前記クリップ（１）のベース（２）にてカレンダー用紙（１１）を挟持し、
前記両側のクリップ（１）の把持部（３）の下端と、前記カレンダー用紙（１１）の下面とを略一直線状にして該把持部（３）の下端とカレンダー本体（１０）の下面とでカレンダー本体（１０）を机上に立設させていることを特徴とする請求項３に記載のカレンダー。
【請求項５】
断面を略三角形状とした弾性を有するベース（２）と、このベース（２）に先端が回動自在に軸支され、略Ω状の把持部（３）とからなる市販のクリップ（１）と、
複数枚のカレンダー用紙（１１）からなるカレンダー本体（１０）とを備え、
前記複数枚のバラバラのカレンダー用紙（１１）の下端の一方の端部に切欠部（１３）を切り欠き形成し、前記切欠部（１３）を介して前記クリップ（１）のベース（２）にてカレンダー用紙（１１）を挟持し、
前記両側のクリップ（１）の把持部（３）の下端と、前記カレンダー用紙（１１）の下面とを略一直線状にして該把持部（３）の下端とカレンダー本体（１０）の下面とでカレンダー本体（１０）を机上に立設させていることを特徴とするカレンダー。
【請求項６】
前記切欠部（１３）が形成されている側とは反対側のカレンダー用紙（１１）の部分を前記クリップ（１）の把持部（３）にて挟持していることを特徴とする請求項５に記載のカレンダー。
【考案の詳細な説明】
【技術分野】
【０００１】
本考案は、複数枚の用紙からなり月めくりのカレンダーに関するものである。
【背景技術】
【０００２】
月めくりのカレンダーは、複数枚の用紙からなり、１枚の用紙には、ひと月分あるいは、ふた月分の日数が印刷されており、全部で１２枚あるいは６枚の用紙でカレンダーを構成している。
この複数枚の用紙は、周知のように用紙の上端部分を紙、あるいは金属片にて挟持する形で束ねている（綴じている）。この複数枚の用紙を束ねる作業の工程は、カレンダーを製造するのに不可欠な工程ではあるものの、その工程分だけコストアップになってしまう。
【０００３】
また、カレンダーの用紙を束ねる他の方法としては、用紙の上端部分に横方向に多数の穴を列設しておき、この穴に金属製のコイルスプリングを挿通し、このコイルスプリングにより複数枚の用紙を綴じている。
かかる用紙の綴じ方は、用紙に多数の穴をあけること、また、あけた穴にコイルスプリングを挿通させることなど煩雑な作業工程を経てカレンダーが製造されることになる。そのため、かかる場合もコストアップになるという問題があった。
【０００４】
また、卓上タイプのカレンダーは、外殻を略三角形状として、その底面にて机上に置くようにしており、その分の紙材が必要となり、コストアップになるという問題も有している。さらに、卓上タイプのカレンダーの用紙を綴じる場合も、コイルスプリングにより綴じているのが一般的であり、煩雑な工程を経てカレンダーを製造する必要があり、コストを抑えることができないという問題もある。
【考案の概要】
【考案が解決しようとする課題】
【０００５】
本考案は上述の問題点に鑑みて提供したものであって、複数枚のカレンダー用紙を綴じることなく、簡単にカレンダー用紙を束ねることができ、また、安価なカレンダーを提供し、しかも、壁面にかけたり、机上に簡単に立設して置くことができるカレンダーを提供するものである。
【課題を解決するための手段】
【０００６】
そこで、本考案の請求項１に記載のカレンダーでは、断面を略三角形状とした弾性を有するベース２と、このベース２に先端が回動自在に軸支され、略Ω状の把持部３とからなる市販のクリップ１と、
複数枚のカレンダー用紙１１からなるカレンダー本体１０とを備え、
前記複数枚のバラバラのカレンダー用紙１１を前記クリップ１のベース２にて挟持すると共に、該クリップ１の把持部３にて壁面に掛けたり、机上に立設可能としていることを特徴としている。
【０００７】
請求項２に記載のカレンダーでは、断面を略三角形状とした弾性を有するベース２と、このベース２に先端が回動自在に軸支され、略Ω状の把持部３とからなる市販のクリップ１と、
複数枚のカレンダー用紙１１からなるカレンダー本体１０とを備え、
前記複数枚のバラバラのカレンダー用紙１１の上端の略中央部分を前記クリップ１のベース２にて挟持すると共に、該クリップ１の把持部３の穴部分にて、壁面に設けた留め具に掛けてカレンダー本体１０を壁面に吊設していることを特徴としている。
【０００８】
請求項３に記載のカレンダーでは、断面を略三角形状とした弾性を有するベース２と、このベース２に先端が回動自在に軸支され、略Ω状の把持部３とからなる市販のクリップ１と、
複数枚のカレンダー用紙１１からなるカレンダー本体１０とを備え、
前記複数枚のバラバラのカレンダー用紙１１の下端の両側を前記クリップ１のベース２にてそれぞれ挟持し、
前記クリップ１の両側に開く把持部３を机上に載置して前記カレンダー本体１０を卓上タイプのカレンダーとして机上に立設させていることを特徴としている。
【０００９】
請求項４に記載のカレンダーでは、前記複数枚のカレンダー用紙１１の下端の両側に切欠部１３をそれぞれ切り欠き形成し、前記切欠部１３を介して前記クリップ１のベース２にてカレンダー用紙１１を挟持し、
前記両側のクリップ１の把持部３の下端と、前記カレンダー用紙１１の下面とを略一直線状にして該把持部３の下端とカレンダー本体１０の下面とでカレンダー本体１０を机上に立設させていることを特徴としている。
【００１０】
請求項５に記載のカレンダーでは、断面を略三角形状とした弾性を有するベース２と、このベース２に先端が回動自在に軸支され、略Ω状の把持部３とからなる市販のクリップ１と、
複数枚のカレンダー用紙１１からなるカレンダー本体１０とを備え、
前記複数枚のバラバラのカレンダー用紙１１の下端の一方の端部に切欠部１３を切り欠き形成し、前記切欠部１３を介して前記クリップ１のベース２にてカレンダー用紙１１を挟持し、
前記両側のクリップ１の把持部３の下端と、前記カレンダー用紙１１の下面とを略一直線状にして該把持部３の下端とカレンダー本体１０の下面とでカレンダー本体１０を机上に立設させていることを特徴としている。
【００１１】
請求項６に記載のカレンダーでは、前記切欠部１３が形成されている側とは反対側のカレンダー用紙１１の部分を前記クリップ１の把持部３にて挟持していることを特徴としている。
【考案の効果】
【００１２】
本考案の請求項１に記載のカレンダーによれば、前記複数枚のバラバラのカレンダー用紙１１を前記クリップ１のベース２にて挟持すると共に、該クリップ１の把持部３にて壁面に掛けたり、机上に立設可能としているので、クリップ１の把持部３の穴部分を利用して簡単にカレンダー本体１０を壁面に掛けることができ、また、カレンダー本体１０を机上に置く場合でも、クリップ１の両側に開いている把持部３にて簡単に立設させることができる。
【００１３】
請求項２に記載のカレンダーによれば、前記複数枚のバラバラのカレンダー用紙１１の上端の略中央部分を前記クリップ１のベース２にて挟持すると共に、該クリップ１の把持部３の穴部分にて、壁面に設けたピンに掛けてカレンダー本体１０を壁面に吊設しているので、従来のように、カレンダー本体１０の上端部分を綴じたりする必要がなく、複数枚のカレンダー用紙１１を揃えて、クリップ１にて上端部分を挟持するだけで、カレンダー本体１０を構成することができる。そのため、カレンダー本体１０を綴じる工程を省くことができて、カレンダー本体１０を安価に製造することができる。
また、今月分のカレンダー用紙１１を取り去る場合、従来では、上端部分を手で持って１枚だけを破きながら引き裂くように取り去っていたが、請求項２の考案では、壁面から外してクリップ１の把持部３を押さえるだけで、ベース２が開いてカレンダー用紙１１を簡単に取り去ることができる。そして、クリップ１のベース２にて残りのカレンダー用紙１１を挟持し、クリップ１の把持部３にて壁面の留め具に掛けることで簡単にカレンダー本体１０を壁面に吊設することができる。
このように従来のカレンダーは、各カレンダー用紙を一体化していたので、１枚のカレンダー用紙を綺麗に破くことができない場合も多く、見た目にも悪いという場合もあった。しかし、請求項２の考案では、複数枚のカレンダー用紙１１を一体化するのではなく、バラバラにした複数枚のカレンダー用紙１１をクリップ１にて挟持しているだけなので、１枚のカレンダー用紙１１を簡単に取り去ることができ、しかも、破かないので、引きちぎった見苦しい箇所も存在せず、見た目にも好感を与えるものである。
【００１４】
請求項３に記載のカレンダーによれば、前記複数枚のバラバラのカレンダー用紙１１の下端の両側を前記クリップ１のベース２にてそれぞれ挟持し、前記クリップ１の両側に開く把持部３を机上に載置して前記カレンダー本体１０を卓上タイプのカレンダーとして机上に立設させているので、従来のようにコイルスプリングでカレンダー用紙１１を綴じるのではなく、クリップ１により単に複数枚のカレンダー用紙１１を挟持すると共に、該クリップ１の把持部３により机上に簡単に置くことができ、また、安価にカレンダー本体１０を製造することができる。
【００１５】
請求項４に記載のカレンダーによれば、前記複数枚のカレンダー用紙１１の下端の両側に切欠部１３をそれぞれ切り欠き形成し、前記切欠部１３を介して前記クリップ１のベース２にてカレンダー用紙１１を挟持し、前記両側のクリップ１の把持部３の下端と、前記カレンダー用紙１１の下面とを略一直線状にして該把持部３の下端とカレンダー本体１０の下面とでカレンダー本体１０を机上に立設させているので、請求項３の効果に加えて、安定してカレンダー本体１０を机上に置くことができる。
【００１６】
請求項５に記載のカレンダーによれば、前記複数枚のバラバラのカレンダー用紙１１の下端の一方の端部に切欠部１３を切り欠き形成し、前記切欠部１３を介して前記クリップ１のベース２にてカレンダー用紙１１を挟持し、前記両側のクリップ１の把持部３の下端と、前記カレンダー用紙１１の下面とを略一直線状にして該把持部３の下端とカレンダー本体１０の下面とでカレンダー本体１０を机上に立設させているので、請求項３の効果に加えて、安定してカレンダー本体１０を机上に置くことができる。
【００１７】
請求項６に記載のカレンダーによれば、前記切欠部１３が形成されている側とは反対側のカレンダー用紙１１の部分を前記クリップ１の把持部３にて挟持しているので、カレンダー用紙１１が前後に開くのを防止することができる。
【図面の簡単な説明】
【００１８】
【図１】（ａ）（ｂ）は本考案の実施の形態におけるクリップの正面図及び側面図である。
【図２】本考案の第１の実施の形態におけるカレンダー本体の正面図である。
【図３】本考案の第２の実施の形態における説明図である。
【図４】本考案の第２の実施の形態におけるカレンダー本体を机上に置いた場合の正面から見た場合の図である。
【図５】本考案の第２の実施の形態におけるカレンダー本体を机上に置いた場合の側面から見た場合の図である。
【図６】本考案の第２の実施の形態におけるカレンダー本体を机上に置いた場合の正面から見た場合の図である。
【図７】本考案の第２の実施の形態における他の例の説明図である。
【図８】本考案の第２の実施の形態における他の例のカレンダー本体を机上に置いた場合の正面から見た場合の図である。
【考案を実施するための形態】
【００１９】
（第１の実施の形態）
以下、本考案の第１の実施の形態を図面を参照して詳細に説明する。図１は事務用品として周知な金属製のＷクリップと呼ばれているクリップ１を示しており、（ａ）は正面図を、（ｂ）は側面図をそれぞれ示している。
【００２０】
このクリップ１は、断面を略三角形状とした弾性を有するベース２と、このベース２に回動自在に装着されている一対の把持部３とで構成されている。前記ベース２の左右の下端部の両側には円形に曲成した軸支部４がそれぞれ形成されている。
また、前記把持部３は、略Ω状に曲成されていて、両側の下端部が略Ｌ型に折曲された先端部５が、前記ベース２の軸支部４に挿入され、把持部３が軸支部４に挿入された先端部５を軸として回動自在となっている。
【００２１】
本考案は、この一般に市販されている安価なクリップ１を用いてカレンダーに適用したものであり、このクリップ１にて複数枚のカレンダー用紙を束ねると同時に、該クリップ１にて壁面に簡単にかけたり、卓上カレンダーとした場合には、簡単に机上に立設できるように考案したものである。
【００２２】
図２は壁面等に掛けるタイプのカレンダー本体１０の正面図を示し、このカレンダー本体１０は、各月の日にちを印刷したカレンダー用紙１１が１２枚で構成されている。そして、１月から１２月までの１２枚のカレンダー用紙１１を前記クリップ１にて束ねるようにしたものである。
すなわち、１２枚のバラバラのカレンダー用紙１１を揃え、カレンダー用紙１１の上端の中央部分をクリップ１にて挟持することで、１２枚のカレンダー用紙１１がクリップ１により束ねられて一体化される。
【００２３】
クリップ１は、本来、複数枚の書類をその端っこを挟持して、書類がバラバラにならないようにするためのものであるが、本考案では、クリップ１を単にカレンダー用紙１１を挟持して束ねるために機能だけではなく、同時にこのクリップ１により壁面に掛けるのに利用している。
すなわち、クリップ１のベース２にてカレンダー用紙１１を束ねると共に、クリップ１の穴状の把持部３を壁面に差したピン、釘、ネジ等の留め具に掛けることで、カレンダー本体１０を壁面に簡単に掛けることができるようにしている。
【００２４】
そして、その月が終わり翌月のカレンダー用紙１１にする場合には、クリップ１ごとカレンダー本体１０を壁面から外し、クリップ１の把持部３を押さえて上のカレンダー用紙１１（例えば、１月）を取り去る。カレンダー用紙１１を取り去った後は、クリップ１にて残りのカレンダー用紙１１を挟持し、該クリップ１の把持部３の穴部分にて壁面の留め具に掛ける。
【００２５】
このように、本実施形態では、複数枚のカレンダー用紙１１にてカレンダー本体１０を製造する場合、従来のように、カレンダー本体１０の上端部分を綴じたりする必要がなく、複数枚のカレンダー用紙１１を揃えて、クリップ１にて上端部分を挟持するだけで、カレンダー本体１０を構成することができる。そのため、カレンダー本体１０を綴じる工程を省くことができて、カレンダー本体１０を安価に製造することができる。
【００２６】
また、今月分のカレンダー用紙１１を取り去る場合、従来では、上端部分を手で持って１枚だけを破きながら引き裂くように取り去っていたが、本実施形態では、壁面から外してクリップ１の把持部３を押さえるだけで、ベース２が開いてカレンダー用紙１１を簡単に取り去ることができる。そして、クリップ１のベース２にて残りのカレンダー用紙１１を挟持し、クリップ１の把持部３にて壁面の留め具に掛けることで簡単にカレンダー本体１０を壁面に吊設することができる。
【００２７】
このように従来のカレンダーは、各カレンダー用紙を一体化していたので、１枚のカレンダー用紙を綺麗に破くことができない場合も多く、見た目にも悪いという場合もあった。しかし、本実施形態では、複数枚のカレンダー用紙１１を一体化するのではなく、バラバラにした複数枚のカレンダー用紙１１をクリップ１にて挟持しているだけなので、１枚のカレンダー用紙１１を簡単に取り去ることができ、しかも、破かないので、引きちぎった見苦しい箇所も存在せず、見た目にも好感を与えるものである。
【００２８】
（第２の実施の形態）
次に、第２の実施形態について説明する。本実施形態では、カレンダー本体１０を卓上タイプに適用したものであり、なお、壁面掛けタイプも卓上タイプも機能としては同じなので、同一の番号を用いる。
【００２９】
上記実施形態と同様に複数枚のカレンダー用紙１１にてカレンダー本体１０が構成されており、この卓上タイプの実施形態では、クリップ１にてバラバラの複数枚のカレンダー用紙１１を挟持することは上記実施形態と同様であるが、本実施形態では、このクリップ１の一対の両側（前後）に開いている把持部３を利用して机上にカレンダー本体１０を立設するようにしている。
【００３０】
すなわち、図３に示すように、各カレンダー用紙１１の下部の両側にクリップ１の大きさと同程度の切欠部１３を切り欠き形成し、この切欠部１３の上方に位置するカレンダー用紙１１をクリップ１のベース２にてそれぞれ挟持する。
そして、図４に示すように、クリップ１でカレンダー用紙１１を挟持した状態では、把持部３の下面とカレンダー用紙１１の下面とがほぼ一直線状となり、カレンダー本体１０の両側のクリップ１と、且つクリップ１の前後の一対の把持部３にてカレンダー本体１０を机１５の上に安定して置くことができる。
【００３１】
なお、切欠部１３の上下方向の寸法は、カレンダー用紙１１をクリップ１のベース２にて挟持した場合、切欠部１３の上のカレンダー用紙１１の下縁がベース２の底面に当接した際に、把持部３の下縁（下面）と、切欠部１３以外のカレンダー用紙１１の下縁（下面）とが一直線状となるように設定している。
このように、クリップ１の把持部３の下面とカレンダー本体１０の下面とをほぼ一直線状となるように、クリップ１にてカレンダー用紙１１を挟持しているので、クリップ１及びカレンダー用紙１１の下面にて、机１５の上に倒れることなく、カレンダー本体１０を安定して立設させることができる（図５参照）。
この場合、両側のクリップ１のみでカレンダー本体１０を立設させているのではなく、カレンダー用紙１１も利用しているので、一層安定感を増すことができる。
【００３２】
また、翌月のカレンダー用紙１１とする場合には、両側のクリップ１の把持部３を押さえて今月のカレンダー用紙１１を取り去り、その後、カレンダー用紙１１の両側をクリップ１にて挟持し、該クリップ１を利用して上記と同様にカレンダー用紙１１を机上に立設させる。
【００３３】
このように、本実施形態では、先の実施形態と同様にカレンダー用紙１１の取り去りが簡単に行なえ、また、カレンダー用紙１１を破るのではないために、カレンダー用紙１１を破った跡がなく、見た目にも綺麗なカレンダー本体１０を提供することができる。
また、カレンダー本体１０を机上に立設する場合にも、カレンダー用紙１１を挟持するクリップ１の把持部３を利用しているので、安価なクリップ１にてカレンダー本体１０を安価に提供することができる。
【００３４】
図６は、カレンダー用紙１１に切欠部１３を形成しない場合であり、単に複数枚のカレンダー用紙１１の下部の両側をクリップ１に挟持すると共に、該クリップ１を利用して机１５の上に置くようにしたものである。
かかる場合も先の実施形態と同様の効果を奏するが、カレンダー本体１０を机１５の上に置いた場合、先の実施形態と比べて若干安定性に欠けるものの、実使用上は問題はない。
【００３５】
図７及び図８は本実施形態の他の例を示し、切欠部１３はカレンダー用紙１１の片方だけ形成したものであり、クリップ１の下端とカレンダー用紙１１の下端とをほぼ一直線状にして、クリップ１とカレンダー用紙１１にて机１５の上に置くようにしたものである。
かかる場合、カレンダー用紙１１は片方（図では左側）だけクリップ１で挟持しているので、カレンダー用紙１１の右側の部分が若干前後に開いてしまうので、図８に示すように、右側の上部にもクリップ１にてカレンダー用紙１１を挟持することで、カレンダー用紙１１が前後に開くのを防止することができる。なお、切欠部１３側のクリップ１のみでも実使用上は問題は無い。また、クリップ１はカレンダー用紙１１の下部を挟持するようにしても良い。
【００３６】
なお、カレンダー用紙１１の厚みであるが、前記第１の実施形態では、吊設するタイプのカレンダー本体１０であるので、薄いものでも良いが、第２の実施形態の卓上タイプのカレンダー本体１０の場合は、１枚のカレンダー用紙１１でも自然に曲がらない程度の厚みは必要である。
【００３７】
また、上記各実施形態において、１枚のカレンダー用紙１１は、ひと月分としていたが、ふた月、み月分を印刷したカレンダー用紙１１としても良い。
【符号の説明】
【００３８】
１  クリップ
２  ベース
３  把持部
１０  カレンダー本体
１１  カレンダー用紙
１３  切欠部
【図１】
0003149830.tif 000003
【図２】
0003149830.tif 000004
【図３】
0003149830.tif 000005
【図４】
0003149830.tif 000006
【図５】
0003149830.tif 000007
【図６】
0003149830.tif 000008
【図７】
0003149830.tif 000009
【図８】
0003149830.tif 000010